(57)【特許請求の範囲】
【請求項１】
変位センサの出力値を処理する信号処理部と、
該信号処理部からの出力値を計数する内部カウンタ部と、
該内部カウンタ部で計数された値を表示軸に表示する表示器と、
を有するカウンタ表示装置において、
前記信号処理部は前記変位センサの出力値を処理して並列出力する複数の処理ユニットを有し、前記内部カウンタ部は複数の内部カウンタを有し、更に、前記表示器は複数の表示軸を有し、
前記複数の処理ユニットから並列出力された値のいずれかを選択して、前記複数の内部カウンタに出力するマルチポートセレクタと、該複数の内部カウンタのいずれかを選択して、前記複数の表示軸に選択された該内部カウンタで計数された値を表示させる表示セレクタと、を備え、
前記内部カウンタの数が、前記処理ユニットの数よりも少なく、且つ前記表示軸の数より多くされている
ことを特徴とするカウンタ表示装置。
【請求項２】
前記表示セレクタは、前記内部カウンタ部における前記表示軸と同数の前記内部カウンタで構成される複数のグループのいずれか１つのグループを選択することを特徴とする請求項１に記載のカウンタ表示装置。
【請求項３】
前記複数の処理ユニットは、変位センサの出力値から計数値を求める計数ユニット、異なる変位センサの出力値から得られる計数値の和又は差を求める和差演算ユニット、変位センサの出力値から変位速度を求める速度ユニット、信号を記憶しておくメモリ機能ユニットのうち、少なくとも１つのユニットを有することを特徴とする請求項１又は２に記載のカウンタ表示装置。
【請求項４】
更に、前記内部カウンタ部に接続される出力セレクタと、該出力セレクタで選択される前記複数の内部カウンタの計数値が入力される出力部と、を備え、該出力部は複数の出力ユニットを有し、且つ該出力ユニットに入力された値が該出力ユニット毎に出力形態を変更されて外部に出力されることを特徴とする請求項１乃至３のいずれかに記載のカウンタ表示装置。
【請求項５】
前記表示セレクタ、若しくは前記マルチポートセレクタの少なくとも一方の選択規則が予め記憶された接続設定メモリが設けられたことを特徴とする請求項１乃至４のいずれかに記載のカウンタ表示装置。
【請求項６】
前記表示セレクタと前記マルチポートセレクタと前記出力セレクタの設定内容をセットにした選択規則が予め記憶された接続設定メモリが設けられたことを特徴とする請求項１乃至４のいずれかに記載のカウンタ表示装置。
【発明の詳細な説明】
【技術分野】
【０００１】
本発明は、カウンタ表示装置に係り、特に、変位センサの出力値を処理する信号処理部と、該信号処理部からの出力値を計数する内部カウンタ部と、該内部カウンタ部で計数された値を表示軸に表示する表示器と、を有するカウンタ表示装置に用いるのに好適な、測定用途に応じた表示が可能なカウンタ表示装置に関する。
【背景技術】
【０００２】
従来、複数の表示軸（１つの計数値を表示するための複数桁からなる数値表示窓を、１つの表示軸、と称する）を持つカウンタ表示装置は、変位センサ（例えば、リニアゲージや電気マイクロ等）からの入力とその表示軸が１対１に対応して、その関係は固定されていた（例えば、特許文献１）。そのため、例えば、２つの表示軸を備えるカウンタ表示装置に変位センサを２台接続すると、２台の変位センサの出力値が、カウンタ表示装置の各表示軸にそれぞれ表示される。
【０００３】
【特許文献１】特開平１１−１２０４７４号公報
【発明の開示】
【発明が解決しようとする課題】
【０００４】
しかしながら、上記の場合において、１台の変位センサを接続し、もう一方には変位センサを接続しないときには、１方の表示軸は使用されなかった。すなわち、測定対象である１台の変位センサに複数の測定モード（現在値、最大値、最小値、差分値（＝最大値―最小値）、など）が存在しても、対応する１つの表示軸での表示切替を順番にしていかないと各測定モードの確認ができないというわずらわしい問題を有していた。
【０００５】
本発明は、前記従来の問題点を解決するべくなされたもので、変位センサと表示軸との対応を柔軟に切替えて、用途に合わせた最適な表示形態を実現するカウンタ表示装置を提供することを課題とする。
【課題を解決するための手段】
【０００６】
本願の請求項１に係る発明は、変位センサの出力値を処理する信号処理部と、該信号処理部からの出力値を計数する内部カウンタ部と、該内部カウンタ部で計数された値を表示軸に表示する表示器と、を有するカウンタ表示装置において、前記信号処理部は前記変位センサの出力値を処理して並列出力する複数の処理ユニットを有し、前記内部カウンタ部は複数の内部カウンタを有し、更に、前記表示器は複数の表示軸を有し、前記複数の処理ユニットから並列出力された値のいずれかを選択して、前記複数の内部カウンタに出力するマルチポートセレクタと、該複数の内部カウンタのいずれかを選択して、前記複数の表示軸に選択された該内部カウンタで計数された値を表示させる表示セレクタと、を備え、
前記内部カウンタの数を、前記処理ユニットの数よりも少なく、且つ前記表示軸の数より多くしたことにより、前記課題を解決したものである。
【０００７】
本願の請求項２に係る発明は、前記表示セレクタが、前記内部カウンタ部における前記表示軸と同数の前記内部カウンタで構成される複数のグループのいずれか１つのグループを選択するようにしたものである。
【０００８】
又、本願の請求項３に係る発明は、前記複数の処理ユニットが、変位センサの出力値から計数値を求める計数ユニット、異なる変位センサの出力値から得られる計数値の和又は差を求める和差演算ユニット、変位センサの出力値から変位速度を求める速度ユニット、信号を記憶しておくメモリ機能ユニットのうち、少なくとも１つのユニットを有するようにしたものである。  
【０００９】
又、本願の請求項４に係る発明は、更に、前記内部カウンタ部に接続される出力セレクタと、該出力セレクタで選択される前記複数の内部カウンタの計数値が入力される出力部と、を備え、該出力部が複数の出力ユニットを有し、且つ該出力ユニットに入力された値が該出力ユニット毎に出力形態を変更されて外部に出力されるようにしたものである。  
【００１０】
又、本願の請求項５に係る発明は、前記表示セレクタ、若しくは前記マルチポートセレクタの少なくとも一方の選択規則が予め記憶された接続設定メモリが設けられたものである。
【００１１】
又、本願の請求項６に係る発明は、前記表示セレクタと前記マルチポートセレクタと前記出力セレクタの設定内容をセットにした選択規則が予め記憶された接続設定メモリが設けられたものである。
【発明の効果】
【００１２】
本発明によれば、変位センサと表示軸との対応を柔軟に切替えることができるので、測定用途に合わせた最適な測定モードの表示形態を実現することができる。
【発明を実施するための最良の形態】
【００１３】
最初に、本発明の原理について説明する。
【００１４】
図１に示す如く、本発明の原理は、表示軸１４８ａ、１４８ｂよりも多い内部カウンタ（図示せず）を変位センサ１０２ａ、１０２ｂと表示軸１４８ａ、１４８ｂとの間に介在させ、その内部カウンタを自在に選択することで、Ａ軸（Ｂ軸）から入力された変位センサ１０２ａ（１０２ｂ）の計数値を、表示軸１４８ａ（表示軸１４８ｂ）だけでなく、表示軸１４８ｂ（表示軸１４８ａ）にも出力できるようにするものである。すなわち、実際に変位センサ１０２ａ、１０２ｂの接続がされているＡ軸、Ｂ軸の場所に限定されずに、変位センサ１０２ａ、１０２ｂによる計数値は、表示軸１４８ａ、表示軸１４８ｂのいずれにも表示可能となる。
【００１５】
ここで、変位センサ１０２ａ、１０２ｂから得られる計数値を、それぞれ、Ｓ、Ｔとし、本発明が必要な信号処理部を備えているとする。すると、例えば、図２に示す如く、図２（ａ）では計数値Ｓを表示軸１４８ａに、計数値Ｔを表示軸１４８ｂに、従来のように独立して表示することができる。又、図２（ｂ）では、計数値Ｓと計数値Ｔを和差演算した計数値（Ｓ±Ｔ）を表示軸１４８ａに、計数値Ｔを表示軸１４８ｂに、それぞれ表示することができる。又、図２（ｃ）では、計数値Ｔの最大値Ｔ（ＭＡＸ）を表示軸１４８ａに、計数値Ｔを表示軸１４８ｂに示すことができる。更に、図２（ｄ）では、計数値Ｔの最大値Ｔ（ＭＡＸ）を表示軸１４８ａに、計数値Ｔの最小値Ｔ（ＭＩＮ）を表示軸１４８ｂに示すことができる。その他、計数値Ｓ、計数値Ｔのいずれかについて、現在値と移動速度を同時に表示することも可能となる。
【００１６】
次に、図３から図１０を参照して本発明の第１実施形態について詳細に説明する。
【００１７】
図３は本発明の第１実施形態に係るカウンタ表示装置の構成ブロック図、図４は信号処理部の構成ブロック図、図５は表示器正面の一例を示す図、図６は表示器上での接続情報を確認した際の一例を示す図、図７はマルチポートセレクタに対する選択規則を示した具体的な表の一例を示す図、図８はサイクルタイムの短縮効果の一例を示す図、図９はフィルム・シートの厚み測定への適用例を示す摸式図、図１０は段差測定への適用例を示す摸式図、である。
【００１８】
本発明の実施形態に係わるカウンタ表示装置について、主に図３を用いて詳細に説明する。
【００１９】
カウンタ表示装置１００は、図３に示す如く、変位センサ１０２ａ、１０２ｂの出力値を処理する信号処理部１０４と、信号処理部１０４からの出力値を計数する内部カウンタ部１３０と、内部カウンタ部１３０で計数された値を表示軸１４８ａ、１４８ｂに表示する表示器１４６と、を有する。又、カウンタ表示装置１００は、信号処理部１０４と内部カウンタ部１３０との間に設けられたマルチポートセレクタ１２８と、内部カウンタ部１３０と表示軸１４８ａ、１４８ｂとの間に設けられた表示セレクタ１４４と、内部カウンタ部１３０に接続された出力セレクタ１５０と、内部カウンタ部１３０の計数値を出力する出力部１５２と、マルチポートセレクタ１２８と表示セレクタ１４４と出力セレクタ１５０の選択規則を予め記憶した接続設定メモリ１６２とを有する。
【００２０】
前記変位センサ１０２ａ、１０２ｂは、一軸方向への変位量を検出するセンサである。本実施形態においては、例えば、リニアエンコーダを用いたリニアゲージであり、変位量に応じて出力されるアナログ出力の周期が変化するものである。
【００２１】
前記信号処理部１０４は、複数の処理ユニット、すなわち、図３においては、計数ユニット１０６ａ、１０６ｂ（ＵＮＩＴ  Ａ、ＵＮＩＴ  Ｂ）と、和差演算ユニット１０８（ＵＮＩＴ  Ｃ）と、速度ユニット１１０ａ、１１０ｂ（ＵＮＩＴ  Ｄ、ＵＮＩＴ  Ｅ）と、メモリ機能ユニット１１２（ＵＮＩＴ  Ｆ）とを有する。前記計数ユニット１０６ａ、１０６ｂは、それぞれＡ軸、Ｂ軸に接続された変位センサ１０２ａ、１０２ｂの出力値から計数値を求める。前記和差演算ユニット１０８は、Ａ軸、Ｂ軸に接続された変位センサ１０２ａ、１０２ｂの出力値から得られる計数値の和又は差の演算をリアルタイムで行う。前記速度ユニット１１０ａ、１１０ｂは、それぞれＡ軸、Ｂ軸に接続された変位センサ１０２ａ、１０２ｂの出力値から簡易的に変位速度の測定を行う。前記メモリ機能ユニット１１２は、表示軸１４８ａ、１４８ｂに表示した値（信号）を記憶することができ、カウンタ表示装置１００の電源がオフの状態でも記憶された値を保持することができる。
【００２２】
上記の各処理ユニット（メモリ機能ユニット１１２を除く）を実現するには、例えば、図４に具体的に信号処理部１０４が示される。前記信号処理部１０４は、コンパレータ１１４ａ、１１４ｂと、周期計算回路１１６ａ、１１６ｂと、分割回路１１８ａ、１１８ｂと、直線補正回路１２０ａ、１２０ｂと、和差回路１２２と、ラッチ回路１２４と、計数合成回路１２６とを備えることができる。
【００２３】
図４に示す如く、前記変位センサ１０２ａ（１０２ｂ）から出力された出力値は、コンパレータ１１４ａ（１１４ｂ）を介して、周期計算回路１１６ａ（１１６ｂ）によって、その周期が計数される。又、変位センサ１０２ａ（１０２ｂ）から出力された出力値は、同時に、分割回路１１８ａ（１１８ｂ）に入力されて、１周期内の計数が行われる。又、分割回路１１８ａ（１１８ｂ）から算出される値は、直線補正回路１２０ａ（１２０ｂ）によって計数値の直線性が補正される。又、直線補正回路１２０ａ、１２０ｂで計算された値は、和差回路１２２に入力されて和差が演算される。なお、直線補正回路１２０ａ、１２０ｂと和差回路１２２では、ピーク（最大値）も演算することができる。
【００２４】
上記の回路１１６ａ〜１２２によって算出された値は、ラッチ回路１２４によりラッチされ、ラッチされた値が計数合成回路１２６に入力し、Ａ軸とＢ軸についての計数値が合成される。合成された結果は、図４に示す如く、Ａ軸計数、Ｂ軸計数、和差演算、Ａ軸速度、Ｂ軸速度として並列出力される。
【００２５】
このようにして、ラッチ回路１２４によりラッチされた値を計数合成回路１２６で処理するため、図３で示す各ユニット１０６ａ〜１１２から出力される値は並列にマルチポートセレクタ１２８に出力される。
【００２６】
前記マルチポートセレクタ１２８は、図３に示す如く、信号処理部１０４から出力された値を、内部カウンタ部１３０の内部カウンタ１３６〜１４２（ＣＥＬ１〜４）に対して自在に選択して接続し出力することができる。同じ内部カウンタ１３６〜１４２（ＣＥＬ１〜４）に対して信号処理部１０４からの２つの出力が接続されることはないが、信号処理部１０４の１つの出力を、同時に異なる内部カウンタ１３６〜１４２（ＣＥＬ１〜４）に接続することができる。
【００２７】
前記内部カウンタ部１３０は、図３に示す如く、グループ１３２（ＢＡＮＫ１）と、グループ１３４（ＢＡＮＫ２）とを有する。グループ１３２（１３４）は、ＣＥＬ１とＣＥＬ２である内部カウンタ１３６、１３８（ＣＥＬ３とＣＥＬ４である内部カウンタ１４０、１４２）を有し、グループ１３２（１３４）に存在する内部カウンタの数は、表示軸１４８ａ、１４８ｂと同数である。
【００２８】
前記表示セレクタ１４４は、図３に示す如く、内部カウンタ部１３０のグループ１３２、１３４のいずれかを選択し、内部カウンタ（ＣＥＬ）の計数値を表示軸１４８ａ、１４８ｂのそれぞれに表示する。
【００２９】
前記表示器１４６は、図５に示す如く、その表面に、表示軸１４８ａ、１４８ｂと、キーボタン１５０とを備える。表示軸１４８ａ、１４８ｂは、内部カウンタ（ＣＥＬ）の計数値を表示するものであり、例えば、上段が表示軸１４８ａ、下段が表示軸１４８ｂである。前記表示軸１４８ｂの下方には、キーボタン１５０が設けられている。キーボタン１５０は、表示軸１４８ａ、１４８ｂに表示された計数値に対して、原点の設定、公差（最大値―最小値）の設定及び最大値の表示を指示することができる。又、接続確認を行うこともできる。キーボタン１５０の操作で、例えば、図６の１行目の‘ＣＨ０１’は、表示軸１４８ａに内部カウンタ１３６（ＣＥＬ１）を選択していることを示し、続く‘ａ’は、内部カウンタ１３６（ＣＥＬ１）には計数ユニット１０６ａ（ＵＮＩＴ  Ａ）を選択していることを示している。更に、図３に示す、出力部１５２の出力ユニット１５４、１５６のパラメータ選択、並びに、接続設定メモリ１６２のメモリ番号の直接入力やパラメータ設定をすることも可能である。
【００３０】
前記出力セレクタ１５０は、図３に示す如く、グループ１３２（ＢＡＮＫ１）あるいはグループ１３４（ＢＡＮＫ２）のいずれかを選択し出力部１５２に接続することができる。
【００３１】
前記出力部１５２は、図３に示す如く、４つの出力ユニット１５４〜１６０を有し、出力セレクタ１５０で選択された内部カウンタ１３６、１３８（１４０、１４２）の計数値は、４つの出力ユニット１５４〜１６０に同時に入力される。前記出力ユニット１５４は、例えば、パラメータ選択により、ＲＳ２３２Ｃへの出力、ＵＳＢへの出力、又は、カウンタ表示装置１００の専用のプリンタ若しくは記録媒体への出力（ＳＰＤ出力）を行うことができる。前記出力ユニット１５６は、例えば、パラメータ選択により、ＢＣＤ値（２進数から１０進数へ変換した値）あるいは公差出力（最大値から最小値を引いた値）のいずれかを出力することができる。前記出力ユニット１５８は、例えば、計数値をアナログ信号で出力することができる。前記出力ユニット１６０は、例えば、カウンタ表示装置１００の全ての信号状態にエラーがでていない際に、総合判定が正常のときに信号を出力する。
【００３２】
前記接続設定メモリ１６２は、図３に示す如く、キーボタン１５０の直接入力若しくはパラメータ設定により、指定されたメモリの内容に従い、マルチポートセレクタ１２８と、表示セレクタ１４４と、出力セレクタ１５０の選択を制御することができる。すなわち、図３中のメモリｎには、マルチポートセレクタ１２８において処理ユニット１０６ａ〜１１２をいずれの内部カウンタ１３６〜１４２（ＣＥＬ１〜４）に接続するか、表示セレクタ１４４においていずれのグループ１３２、１３４（ＢＡＮＫ１、ＢＡＮＫ２）を表示軸１４８ａ、１４８ｂに表示させるか、出力セレクタ１５０においていずれのグループ１３２、１３４（ＢＡＮＫ１、ＢＡＮＫ２）を出力部１５２に接続するかが予め記憶されている。図７に、マルチポートセレクタ１２８に対する選択規則を示した具体的な表の一例を示す。ここでは、パラメータ設定によって設定されたパラメータ値に対する表示モード、及び、内部カウンタ１３６〜１４２（ＣＥＬ１〜４）の接続された処理ユニット１０６ａ〜１１２（ＵＮＩＴ  Ａ〜ＵＮＩＴ  Ｆ）の内容を示している。図７の表中の斜線部には、例えば、作業者が使用頻度の高い選択規則を記載することにより、測定用途に合わせた最適な測定モードの表示形態をカスタマイズすることができる。このため、接続設定メモリ１６２は、マルチポートセレクタ１２８、若しくは表示セレクタ１４４の一方のみを制御しても良い。なお、図７で、Ａ計数は計数ユニット１０６ａ、Ｂ計数は計数ユニット１０６ｂ、Ａ±Ｂは和差演算ユニット１０８、Ａ速度は速度ユニット１１０ａ、Ｂ速度は速度ユニット１１０ｂ、メモリはメモリ機能ユニット１１２を、それぞれ示している。
【００３３】
このような構成により、変位センサ１０２ａ、１０２ｂと表示軸１４８ａ、１４８ｂとの対応を柔軟に切替えることができる。このため、本実施形態では、測定用途に合わせた最適な測定モードの表示形態とることが可能である。
【００３４】
すなわち、測定用途に応じて測定機能や測定表示を作業者がカスタマイズすることができる。具体的には、２軸表示を活用して最大値や現在値や和差の同時表示等が可能であるマルチディプレイ機能とすることができる。
【００３５】
又、本実施形態は、従来のＲＳ２３２Ｃ出力や、アナログ出力や、ＵＳＢ出力や、専用プリンタへの出力などの幅広い外部出力形式のうちから最適な出力形態を選択することができる。更に、これまでにない変位センサ１０２ａ、１０２ｂの変位速度の計測や、表示軸１４８ａ、１４８ｂに表示された値のメモリ機能等を用いることができる。
【００３６】
又、信号処理部１０４のラッチ回路１２４において、一旦計数合成回路１２６に入る値がラッチされるので、計数合成回路１２６からは全ての計数値が並列出力される。このため、計数値のサイクルタイムが従来の直列的に表示するものよりも大幅に短縮される。図８（ａ）には、内部カウンタとしてＣＥＬ１とＣＥＬ２を有し、計数値の内部カウンタへの出力が、直列的になされていた場合のサイクルタイムＴ１の様子を示している。これに対して、図８（ｂ）に示す如く、本実施形態では、内部カウンタ１３６〜１４２（ＣＥＬ１〜４）への入力がラッチされるので（図８におけるラッチ入力）、そのサイクルタイムＴ２はＴ１の１／２以下となっている。なお、図８（ｂ）のＣＥＬ１への読み込み時間が図８（ａ）の場合に比べて短いのは、図４に示す各回路１１４ａ〜１２６が専用のハードウェアで構成されていることによるものである。
【００３７】
なお、本実施形態においては、マルチポートセレクタ１２８、表示セレクタ１４４、出力セレクタ１５０は、それぞれソフトウェアで構成してもよいし、ハードウェアで構成してもよい。
【００３８】
又、本実施形態においては、変位センサ１０２ａ、１０２ｂは、光電式、静電容量式、電磁誘導式、磁気式等、いずれの方式を用いた変位センサであってもよい。又、図１３で後述するように、本発明で用いられる変位センサはリニアエンコーダだけに限定されず、例えばロータリーエンコーダであってよい。
【００３９】
本実施形態においては、図９や図１０に示す測定を想定している。
【００４０】
図９は、例えば、変位センサ１０２ａ、１０２ｂで、被測定物であるフィルム・シートが図中の矢印方向に送られる際に、その厚みを測定する模式図を示している。図３の和差演算ユニット１０８の厚み（差分）出力値において、例えば、厚み出力値を内部カウンタ１３６（ＣＥＬ１）に入力させ、厚みの振れ値（最大値―最小値）を計数して内部カウンタ１３８（ＣＥＬ２）に入力させ、グループ１３２（ＢＡＮＫ１）を表示軸１４８ａ、１４８ｂに接続して、厚みと厚みの振れ値を同時に表示することができる。このとき、和差回路１２２の専用化により和差演算ユニット１０８は高速演算をすることができる。
【００４１】
図１０は、例えば、変位センサ１０２ａ、１０２ｂで、被測定物の段差の測定を行う模式図を示している。変位センサ１０２ａの計数値Ｓ、変位センサ１０２ｂの計数値Ｔとする。すると、図３の計数ユニット１０６ａ、１０６ｂと和差演算ユニット１０８を用いて、変位センサ１０２ａの計数値Ｓと段差である差分Ｓ−Ｔを同時表示することができる。このとき、表示軸１４８ａ、１４８ｂへの表示切替を行うことで、変位センサ１０２ｂの計数値Ｔを容易且つ、即時に表示することもできる。
【００４２】
上記のように２つの変位センサ１０２ａ、１０２ｂを用いる場合（Ａ軸、Ｂ軸）だけに本発明は限定されるものではない。例えば、図１１、図１２に示す如く、１つの変位センサ１０２ａを用いることもできる。
【００４３】
図１１は、例えば、変位センサ１０２ａのみを用いて被測定物の高さと、平坦度を表示軸１４８ａ、１４８ｂに同時に表示する本発明の第２実施形態に係る模式図である。この場合には、例えば、図３の計数ユニット１０６ａの出力値において、前記出力値を内部カウンタ１３６（ＣＥＬ１）に入力させ、一方で公差（最大値―最小値）を求めて内部カウンタ１３８（ＣＥＬ２）に入力させ、グループ１３２（ＢＡＮＫ１）を表示軸１４８ａ、１４８ｂに接続する。
【００４４】
図１２は、例えば、変位センサ１０２ａのみを用いて射出シリンダ・テーブルの位置決めを行う本発明の第３実施形態に係る模式図である。この場合には、図３の計数ユニット１０６ａの出力値と、速度ユニット１１０ａの出力値を、それぞれ内部カウンタ１３６、１３８（ＣＥＬ１、２）に入力して、グループ１３２（ＢＡＮＫ１）を表示軸１４８ａ、１４８ｂに接続する。このとき、上述するようにサイクルタイムは短いので位置決めを高精度に行うことができる。
【００４５】
又、本実施形態に示す変位センサ１０２ａ、１０２ｂに本発明は限定されるものではない。例えば、図１３に示す如く、ロータリーエンコーダの出力を変位センサ１０２ａの出力として用いることができる。図１３は、ロータリーエンコーダがボールエンドミルに取り付けられて、その角度と速度を表示する本発明の第４実施形態に係る模式図である。この場合に、図３の計数ユニット１０６ａを用いて角度を求め、速度ユニット１１０ａを用いて、回転速度を求めることができる。
【００４６】
又、本発明は、図１４〜図１６に示す如く、変位センサを３つ以上用いる（Ａ軸、Ｂ軸だけでなく、それ以上の多軸）ことも可能である。図１４は、例えば、複数ワークの最大高さ測定を行う場合の本発明の第５実施形態に係る模式図である。ここで、変位センサ１０２ａ、１０２ｂ、１０２ｃを３つの軸（Ａ軸、Ｂ軸、Ｃ軸）に接続して、図３の計数ユニット１０６ａ、１０６ｂ、１０６ｃを用いて出力値（計数表示）、並びに、メモリ機能ユニット１１２に記憶された狙い値（メモリＮＯＲＭ表示）と最大値（メモリＭＡＸ表示）と最小値（メモリＭＩＮ表示）を、内部カウンタ部１３０で計数して、表示軸１４８ａ、１４８ｂに表示することができる。この適用例は、信号処理部１０４に、Ｃ軸用の計数ユニット１０６ｃ、速度ユニット１１０ｃを新たに設けることで容易に実現することができる。
【００４７】
図１５は、例えば、複数種のワークの良否判別をする本発明の第６実施形態に係る模式図である。ワーク毎に上限下限を設定し、それぞれの公差（最大値―最小値）を同時に表示することができる。この場合にも、図３の信号処理部１０４に、Ｃ軸用の計数ユニット１０６ｃを新たに設けることで容易に実現することができる。
【００４８】
図１６は、例えば、４つのカム・シャフトの偏心や振れを測定する本発明の第７実施形態に係る模式図である。この場合には、４つの変位センサ１０２ａ、１０２ｂ、１０２ｃ、１０２ｄによる測定であるため、図３の信号処理部１０４に、Ｃ軸、Ｄ軸用の計数ユニット１０６ｃ、１０６ｄを新たに設けることで容易に実現することができる。
【００４９】
又、本実施形態では、信号処理部１０４が図４に示す如く、専用化されたハードウェアで構成したが、本発明はこれに限定されるものではない。例えば、汎用的なマイコンを用いて、ソフトウェアで構成してもよい。
【００５０】
又、本実施形態では、信号処理部１０４が計数ユニット１０６ａ、１０６ｂ、和差演算ユニット１０８、速度ユニット１１０ａ、１１０ｂ、メモリ機能ユニット１１２で構成したが、本発明はこれに限定されるものではない。例えば、積分ユニットや微分ユニット（速度ユニット１１０ａ、１１０ｂの出力から加速度も算出可能とするもの）等を有してもよいし、前記全ての処理ユニットを含む必要もない。
【００５１】
又、本実施形態では、内部カウンタ１３６〜１４２（ＣＥＬ１〜４）はグループ１３２（ＢＡＮＫ１）とグループ１３４（ＢＡＮＫ２）とで分けられていたが、本発明はこれに限定されるものではない。内部カウンタ１３６〜１４２（ＣＥＬ１〜４）は、個々に表示セレクタ１４４と、出力セレクタ１５０で選択されてもよい。このとき、表示セレクタ１４４に選択される内部カウンタの数は、表示軸１４８ａ、１４８ｂより少なくてもよい。例えば、出力部１５２を介して、外部の計数値が表示軸１４８ａ（１４８ｂ）に表示されることもあるからである。
【００５２】
又、本実施形態では、内部カウンタ部１３０は４つの内部カウンタ１３６〜１４２（ＣＥＬ１〜４）で構成したが、本発明はこれに限定されるものではない。例えば、表示軸よりも多ければ２つ以上でもよい。
【００５３】
又、本実施形態では、表示軸１４８ａ、１４８ｂは２つとされていたが、本発明はこれに限定されるものではない。例えば、３つ以上を有してもよい。特に図１４〜１６で示す場合には、表示を切替える手間を更に省くことができる。
【００５４】
又、本実施形態では、出力部１５２は、４つの出力ユニット１５４〜１６０を有していたが、本発明はこれに限定されるものではない。例えば、他の規格の出力で出力してもよいし、そのために５つ以上の出力ユニットを設けてもよい。又、出力ユニットが４つより少なくてもよいし、その内部の機能により本発明は限定されない。
【００５５】
又、本実施形態では、接続設定メモリ１６２は、キーボタン１５０によりパラメータ設定することとしたが、本発明はこれに限定されるものではない。例えば、出力部１５２の出力ユニット１５４のＵＳＢ出力やＲＳ２３２Ｃ出力を介して、パラメータ設定してもよい。
【図面の簡単な説明】
【００５６】
【図１】本発明に係る原理を示した模式図
【図２】本発明に係る原理に基づく表示形態を示した模式図
【図３】本発明の第１実施形態に係るカウンタ表示装置の構成ブロック図
【図４】同じく信号処理部の構成ブロック図
【図５】同じく表示器正面の一例を示す図
【図６】同じく表示器上での接続情報を確認した際の一例を示す図
【図７】同じくマルチポートセレクタに対する選択規則を示した具体的な表の一例を示す図
【図８】同じくサイクルタイムの短縮効果の一例を示す図
【図９】同じくフィルム・シートの厚み測定への適用例を示す摸式図
【図１０】同じく段差測定への適用例を示す摸式図
【図１１】本発明の第２実施形態に係る被測定物の平坦度測定への適用例を示す摸式図
【図１２】本発明の第３実施形態に係る被測定物のシリンダ・テーブル位置決めの適用例を示す摸式図
【図１３】本発明の第４実施形態に係るロータリーエンコーダの速度と角度の測定への適用例を示す摸式図
【図１４】本発明の第５実施形態に係る複数ワークの最大高さの測定への適用例を示す摸式図
【図１５】本発明の第６実施形態に係る複数ワークの良否判別への適用例を示す摸式図
【図１６】本発明の第７実施形態に係るカム・シャフト測定への適用例を示す摸式図
【符号の説明】
【００５７】
１００…カウンタ表示装置
１０２ａ、１０２ｂ…変位センサ
１０４…信号処理部
１０６ａ、１０６ｂ…計数ユニット（ＵＮＩＴ  Ａ、ＵＮＩＴ  Ｂ）
１０８…和差演算ユニット（ＵＮＩＴ  Ｃ）
１１０ａ、１１０ｂ…速度ユニット（ＵＮＩＴ  Ｄ、ＵＮＩＴ  Ｅ）
１１２…メモリ機能ユニット（ＵＮＩＴ  Ｆ）
１１４ａ、１０４ｂ…コンパレータ
１１６ａ、１１６ｂ…周期計算回路
１１８…分割回路
１２０ａ、１２０ｂ…直線補正回路
１２２…和差回路
１２４…ラッチ回路
１２６…計数合成回路
１２８…マルチポートセレクタ
１３０…内部カウンタ部
１３２、１３４…グループ（ＢＡＮＫ１、ＢＡＮＫ２）
１３６〜１４２…内部カウンタ（ＣＥＬ１〜４）
１４４…表示セレクタ
１４６…表示器
１４８ａ、１４８ｂ…表示軸
１５０…キーボタン
１５２…出力部
１５４〜１６０…出力ユニット
１６２…接続設定メモリ
【図１】
0005112807.tif 000002
【図２】
0005112807.tif 000003
【図３】
0005112807.tif 000004
【図４】
0005112807.tif 000005
【図５】
0005112807.tif 000006
【図６】
0005112807.tif 000007
【図７】
0005112807.tif 000008
【図８】
0005112807.tif 000009
【図９】
0005112807.tif 000010
【図１０】
0005112807.tif 000011
【図１１】
0005112807.tif 000012
【図１２】
0005112807.tif 000013
【図１３】
0005112807.tif 000014
【図１４】
0005112807.tif 000015
【図１５】
0005112807.tif 000016
【図１６】
0005112807.tif 000017